Podtech/llm-jp-corpus-v4-ja_patent huggingface dataset:
(57)【要約】【課題】二次元バーコードの読み取り機能付き携帯端末からの広告媒体に配置された二次元バーコードへのアクセス機会を増し、潜在的顧客に対する需要の喚起を促す訴求効力に優れる広告媒体の提供。【解決手段】二次元バーコード及び／又は二次元バーコードのダミーの配列により表現した文字・図形と、二次元バーコードを具備する広告媒体。【選択図】  図２
2006243697.tif 000002
【特許請求の範囲】
【請求項１】
二次元バーコード及び／又は二次元バーコードのダミーの配列により表現した文字・図形と、二次元バーコードを具備する広告媒体。
【発明の詳細な説明】
【技術分野】
【０００１】  本発明はパンフレット、ちらし、ポスター、看板等に二次元バーコードが配置された広告媒体に係り、更に詳しくは、読み取り機能付き携帯電話等の情報端末装置による広告媒体に配置された二次元バーコードへのアクセス機会を増し、潜在的顧客に対する需要の喚起を促す訴求効果に優れる広告媒体に関する。
【背景技術】
【０００２】  小さなモザイク状模様からなる矩形の二次元バーコードは縦横の二方向に情報を記録するため、従来のバーコード（一次元）に比べ格段に多くの情報量を盛り込むことができる。近年、この二次元バーコードを読み取れる携帯電話、ノート型パソコン、ＰＤＡ等の情報端末の普及により、メールアドレスやメッセージ等を書き込んだ二次元バーコードを介して情報提供者の意志を伝達する二次元バーコード付きのパンフレット、ちらし、ポスター、看板等の広告媒体が身近になりつつある。
【発明の開示】
【発明が解決しようとする課題】
【０００３】  例えば、特開２００４−３５５３５４号公報は、メールアドレス等の識別情報が記録された二次元バーコードを貼付したポスター等の記録媒体と、当該記録媒体中の二次元バーコードを読み取る携帯端末及び当該携帯端末と通信回線を介して情報の伝達を行い得る情報提供手段からなる情報提供システムを提案している。【０００４】  当該情報提供システムは、利用者が情報提供者のメールアドレス入力という煩雑な操作をすることなく通信回線を介して情報を簡単に入手できる点で優れたシステムと言える。【０００５】  しかしながら、当該情報提供システムは、二次元バーコードがポスターの右下隅に小さく配置されている為、その存在を利用者が見過す確率が高く、システムの稼動効率の点で不満を残すものと言える。【０００６】  本発明は、上記背景から、二次元バーコードの読み取り機能付き携帯端末からの広告媒体に配置された二次元バーコードへのアクセス機会を増し、潜在的顧客に対する需要の喚起を促す訴求効果に優れる広告媒体の提供を目的とする。
【課題を解決するための手段】
【０００７】  上記目的を達成するために、本出願人は、二次元バーコード及び／又は二次元バーコードのダミーの配列により表現した文字・図形と、二次元バーコードを具備する広告媒体を提案する。
【発明の効果】
【０００８】  本発明の広告媒体は表現文字・図形が二次元バーコード及び／又は二次元バーコードのダミーで構成されている為、見る人に二次元バーコードのイメージを強烈に植え付けることが出来て、この表現文字・図形と対をなす二次元バーコードへの誘導を効果的に行い得る。これによって二次元バーコードへの、衝動的なアクセスを誘い、潜在的顧客の顕在化に向けてより一層の請求効果が期待出来る。
【実施例】
【０００９】  以下、本発明を実施例をもって詳述する。図１は、本発明を示す実施態様の１つであるパチンコ店頭用の宣伝ポスターである。図中、１は二次元バーコードの形象を暗示させる広告媒体の大きさに釣り合うサイズであり、ここでは一辺５ｃｍ角のモザイク状図形（二次元バーコードのダミー）の配列によって表現した文字である。当該文字１はパチンコ店を象徴し、且つ、不特定多数の人の関心を喚起するものとして「玉」の１文字を用いた。２は、前記文字１と対をなす情報提供者からのメッセージや、必要に応じメールアドレス、電話番号等を記録した二次元バーコードである。本発明の広告媒体５は二次元バーコード及び／又は二次元バーコードのダミーで表現した文字・図形と、二次元バーコードを必須とするが、必要に応じ付加情報として３、４の如きコメントを配置しても良い。更に、本発明の広告媒体においては告知情報としての情報提供者（店名）、電話番号や背景写真の付加等や本発明の必須条件である表現文字と二次元バーコードの配置位置・大きさ、カラー化等々、デザイン上の工夫は何んら妨げるものでない。使用する二次元バーコードはＱＲコード、マイクロＱＲコード、ｄａｔａＭａｔｒｉｘ、ＰＤＦ４１７、ＭａｘｉＣｏｄｅ、ＶｅｒｉＣｏｄｅ等を適宜選択し得るが、入力情報量が多く、且つ国内での利用普及率の高いデンソー「ＱＲコード」の使用が現時点では最も好ましい。【００１０】  図１の文字は二次元バーコードのダミーによって表現したが、二次元バーコード、或いは、二次元バーコードのダミーと二次元バーコードの組合せにより文字を表現しても良い。表現される文字は情報提供者の業務・職種によって適宜選択すれば良く、例えば、牛丼チェーン店では文字「牛」、或いは、「牛丼」を選べばより効果的と言える。文字は、必ずしも忠実に表現する必要はなくイメージを強調した省略文字或いは図案化文字であっても良い。又、文字は一文字である必要はないが、簡潔で訴求力のあることが肝要である。尚、本発明の表現文字は必要に応じ営業者が自己のサービス（役務）であることを示すために使用する標識やサービスマーク等の図形に代えても良く、又、文字と図形の併記であっても良い。
【作用】
【００１１】  図２は、本発明の広告媒体に通行人がアクセスしている状態を示すイメージ図である。本発明の広告媒体５の表現文字１に喚起され興味をもった利用者６は二次元バーコード読み取り機能付き携帯電話で二次元バーコード２を取り込む。取り込まれた二次元バーコード内のメッセージ情報は携帯電話の文字変換機構によって即座に携帯電話の表示部に表示され、情報提供者の意図が利用者に伝達される。尚、前出特開２００４−３５５３５４号公報が開示するような情報提供システムを採用すれば、取り込まれた二次元バーコード内のメールアドレスによって通信回線を介して情報提供手段へと接続され、利用者と情報提供者間での情報交換が可能となる。
【図面の簡単な説明】
【００１２】
【図１】本発明の実施態様を示すポスターの正面図である。
【図２】本発明の広告媒体へのアクセスイメージ図である。
【符号の説明】
【００１３】１    表現文字
２    二次元バーコード
３    付加情報
４    付加情報
５    広告媒体
６    利用者
【図１】
2006243697.tif 000003
【図２】
2006243697.tif 000004
(57)【要約】【課題】  安定したベンディング加工を行うことができ、リムの成形不良率を低減することが可能なリム線を提供する。【解決手段】  リム線の内周面部９の両端部１２、１２は、ベンディング加工機の加工部材に対して面状に当接するように、平坦面に形成されている。これにより、リム線を環状体のリム２へと形成するベンディング加工時に、リム線と当接して湾曲させるための加工部材にリム線が充分に当接することになる。これにより、安定したベンディング加工を行うことができ、リムの成形不良率を低減することができる。【選択図】        図２
2006243168.tif 000002
【特許請求の範囲】
【請求項１】
メガネフレームのリムを形成するためのリム線であって、環状に湾曲させるためのベンディング加工機の加工部材に当接する内周面部と、外周面部と、内周面部と外周面部とを繋ぐ両側面部とを具え、前記内周面部は、中央部にメガネレンズが嵌る溝部を有するとともに、該溝部の両側の内周面部は、前記加工部材に対して面状に当接するように形成されることを特徴としたメガネフレーム用リム線。
【請求項２】
前記加工部材に当接する内周面部の両端部は平坦面に形成される請求項１に記載のメガネフレーム用リム線。
【請求項３】
前記リム線は非鉄金属を材料に用いて形成される請求項１に記載のメガネフレーム用リム線。
【発明の詳細な説明】
【技術分野】
【０００１】
本発明はメガネフレーム用リム線に関し、特にベンディング加工の性能を向上させることができるメガネフレーム用リム線の形状に関する。
【背景技術】
【０００２】
従来のメガネフレーム用リム線は、例えば、ベンディング加工機にて環状のリムに形成されるとともに、内周面部分にメガネレンズを嵌めるための溝が設けられているものが知られている（例えば、特許文献１参照。）。
【特許文献１】特開２００４−１０９８３９号公報
【発明の開示】
【発明が解決しようとする課題】
【０００３】
一般に、ベンディング加工機には、リム線と当接し、このリム線を環状に湾曲させるために加工部材が設けられている。一方、この加工部材と当接するリム線の当接部分が曲面で形成されているために、リム線と加工部材との当接が充分でなかった。このために加工部材との間の保持が確実でなくなり、これによりベンディング加工が不安定になり、リムの成形不良率が高くなってしまっていた。
【０００４】
本発明は、上記のような従来の問題を解決したものであって、リム線がベンディング加工機の加工部材にしっかりと保持され、安定したベンディング加工が可能になり、リムの成形不良率を低減させることができるメガネフレーム用リム線を提供することを目的としている。
【課題を解決するための手段】
【０００５】
上記のような課題を解決するために、本発明の請求項１に係るメガネフレーム用リム線は、メガネフレームのリムを形成するためのリム線であって、環状に湾曲させるためのベンディング加工機の加工部材に当接する内周面部と、外周面部と、内周面部と外周面部とを繋ぐ両側面部とを具え、内周面部は、中央部にメガネレンズが嵌る溝部を有するとともに、該溝部の両側の内周面部は、前記加工部材に対して面状に当接するように形成される手段を採用している。
【０００６】
また、本発明の請求項２に係るメガネフレーム用リム線は、請求項１に記載のメガネフレーム用リム線であって、加工部材に当接する内周面部の両端部は平坦面に形成される手段を採用している。
【０００７】
さらに、本発明の請求項３に係るメガネフレーム用リム線は、請求項１に記載のメガネフレーム用リム線であって、非鉄金属を材料に用いて形成される手段を採用している。
【発明の効果】
【０００８】
本発明のメガネフレーム用リム線は、前記のように構成することで、内周面部の両端部が、ベンディング加工機の加工部材に充分に当接する。これによりリム線のベンディング加工時に安定して湾曲させることができ、リムの成形不良率を低減することができる。
【発明を実施するための最良の形態】
【０００９】
以下、図面に示す本発明の実施の形態について説明する。
図１と図２には、本発明のメガネフレーム用リム線の実施の形態が示されており、図１はメガネフレームの全体を示した概略図、図２は、図１のＡ−Ａ線に沿って見た図であり、リム（リム線）の断面図である。
【００１０】
例えば、メガネフレーム１は、図１で示すように、一対のリム２、２と、両リム２、２間を連結するブリッジ３と、両リム２、２の内側部に取り付けられるノーズパッド４と、各リム２の外縁部に蝶番５を介して連結されるテンプル６とから構成されている。
【００１１】
リム２は、環状体に形成されている。このリム２に成形するには、線状となっているリム線を、ベンディング加工機（図示せず）の左右反対方向に回転する複数のローラーによって送り出し、リム２の形状を決定するために、リム線を湾曲させる加工部材（図示せず）の表面に沿わせながら、力を作用させて湾曲させるようになっている。
【００１２】
リム２は、図２に示すように、ベンディング加工機の加工部材に当接する内周面部９と、外周面部１０と、内周面部９と外周面部１０とを繋ぐ両側面部１１、１１とから形成されている。
【００１３】
内周面部９は、中央部にメガネレンズ７を嵌めるための略Ｖ形状の溝部８と、加工部材に当接する両端部１２、１２とが設けられている。そして、内周面部９の両端部１２、１２は、加工部材に対して所定の幅を有して、面状に当接するように平坦面に形成されている。
【００１４】
外周面部１０は、曲面で形成され、中央部が突出するように形成されている。
【００１５】
両側面部１１、１１は、内周面部９の方向が外方に傾斜するように形成されている。
【００１６】
リム線の材料として、非鉄金属、例えば、一般的なメガネフレームで採用されていて、常温での結晶構造がβ相となる、チタンと、その他の成分とを混合したβチタン合金を用いて形成される。
【００１７】
なお、βチタン合金の各成分の比率については特に限定せず、用途に応じて各成分の比率を変えたものを使用するとよい。
【００１８】
上記のような構成のメガネフレーム用リム線は、内周面部９の両端部１２、１２を平坦面に形成することで、この平坦面がベンディング加工機の加工部材に充分に当接する。これにより、リム線をベンディング加工時に安定して湾曲させることができ、リムの成形不良率が低減することとなる。
【００１９】
また、上記で示した本発明の実施の形態であるリム線の大きさや形状は、特に限定するものではなく、ベンディング加工機によってしっかりと保持され、安定したベンディング加工が可能な大きさや形状であればよい。
【図面の簡単な説明】
【００２０】
【図１】本発明のリム線を用いたメガネフレームの概略図である。
【図２】図１のＡ−Ａ線に沿って見たリム（リム線）の断面図である。
【符号の説明】
【００２１】
１  メガネフレーム
２  リム
３  ブリッジ
４  ノーズパッド
５  蝶番
６  テンプル
７  メガネレンズ
８  溝部
９  内周面部
１０  外周面部
１１  側面部
１２  端部
【図１】
2006243168.tif 000003
【図２】
2006243168.tif 000004
(57)【要約】【課題】 曲面鏡としては、ガラスを曲面状に加工し、その上に前記同様の処理を施し鏡にする。よって、ガラスを用いる場合には比較的簡単に製造できる。しかし、プラスチックを用いる場合には、まずプラスチックを曲面に加工することが難しい。１つづつ切削することは不可能であるため、型を作り、成形することになるが、型が高価であるため、どうしても高価なものになっていた。【解決手段】  金属板、反射層、プラスチックフィルム層、防曇処理層の順に積層されたものであって、積層と同時、又はその前に、若しくはその後に、押圧によって絞り加工されたもの。【選択図】  図１
2006243106.tif 000002
【特許請求の範囲】
【請求項１】
金属板、反射層、プラスチックフィルム層、防曇処理層の順に積層されたものであって、積層と同時、又はその前に、若しくはその後に、押圧によって絞り加工されたことを特徴とする曲面鏡。
【請求項２】
金属板は厚みが０．５〜１．０．５ｍｍのアルミニウム板であり、プラスチックフィルムはポリエチレンテレフタレート（ＰＥＴ）でありアルムニウム蒸着さあれたものである請求項１記載の曲面鏡。
【発明の詳細な説明】
【技術分野】
【０００１】
本発明は、曲面鏡に関するものである。
【背景技術】
【０００２】
鏡は元来、ガラスに銀メッキを施し、そのメッキ面を塗料等で保護したものである。しかしながら、ガラスは重く、薄くすると割れやすいという欠点を有するため、携帯用には不向きであった。
【０００３】
そこで、最近プラスチック製のものが考案され使用されてきている。これは、透明プラスチックの裏面にアルミ箔を貼付し、その上に透明保護フィルムを貼ったものである。これならば、非常に軽量で、割れることも少ない。
【０００４】
また、これらの平面鏡とは別に凹面鏡や凸面鏡も存在する。これは、ガラスを曲面状に加工し、その上に前記同様の処理を施し鏡にする。よって、ガラスを用いる場合には比較的簡単に製造できる。
しかし、プラスチックを用いる場合には、まずプラスチックを曲面に加工することが難しい。１つづつ切削することは不可能であるため、型を作り、成形することになるが、型が高価であるため、どうしても高価なものになっていた。
【発明の開示】
【発明が解決しようとする課題】
【０００５】
そこで、ガラスのような割れやすいという欠点がなく、安価で簡単に製造できる曲面鏡を提供する。
【課題を解決するための手段】
【０００６】
以上のような状況に鑑み、本発明者は鋭意研究の結果本発明曲面鏡を完成させたものであり、その特徴とするところは、金属板、反射層、プラスチックフィルム層、防曇処理層の順に積層されたものであって、積層と同時、又はその前に、若しくはその後に、押圧によって絞り加工された点にある。
【０００７】
ここで金属板は、アルミニウム板が好適である。これは軽量で、安価で、成形が簡単なためである。勿論、このようなものがあれば他の金属でもよい。厚みとしては、携帯用としては、０．５〜１．５ｍｍ程度が好適であるが、より大きなものではもっと厚くてもよい。
【０００８】
反射層とは、銀やアルミニウム等の反射の大きな金属層である。銀の場合には通常は銀メッキであり、高価であるが反射率は優れている。また、アルミニウム層は、アルミニウム箔、アルミニウムメッキ層その他でよい。よって、厚みは自由であり、蒸着のように薄い層でもよい。
【０００９】
プラスチックフィルム層は、通常のガラス鏡でいうガラスに相当するもので、透明又は色付き透明であることが前提である。割れる心配がないため、薄くてもよい。表面の硬度（傷つきにくさ）を考慮すると、ＰＥＴのようなフィルムが好適である。
【００１０】
防曇処理層は、単に防曇処理剤を塗布しても、防曇フィルムとして市販されているものを貼付してもよい。防曇処理剤も、市販されているものでよい。
【００１１】
以上のような成形体を絞り加工して湾曲させたものである。この絞り加工は、通常の加工技術であり、特別な方法でなくともよい。所定の曲面の型部材に押圧する等の方法でよい。最下層の金属板がアルミニウム等の加工容易な金属であれば、非常に簡単である。
成形する形状は、凹面鏡や凸面鏡になるように成形すればよい。
【００１２】
この絞り加工は、上記の積層体を製造した後に行なっても、最初に金属板を加工し、それに順次積層してもよい。また、積層と絞り加工を同時に行なってもよい。
【００１３】
本発明曲面鏡としては、大きなものとしては道路のカーブミラー（広範囲を見るため凸面鏡）、小さいものとしては口の中に入れて歯の裏を見るような鏡（凹面鏡にして拡大する）等である。
【発明の効果】
【００１４】
本発明曲面鏡には次のような大きな利点がある。
（１）  本発明曲面鏡は、軽量で割れにくい。
（２）  製造が簡単であり、安価である。
（３）  大きいものも、小さいものもできる。
【発明を実施するための最良の形態】
【００１５】
以下実施例に沿ってより詳細に説明する。
【実施例】
【００１６】
図１は、本発明の１例を示す凹面鏡１の１例を示す断面図であり、図２はその部分拡大図である。底部にアルミニウム板２があり、その上（内側）にＰＥＴフィルム３が貼付されている。アルミニウム板２は、厚みが１．０ｍｍで、フィルムは０．０９ｍｍである。ＰＥＴフィルム３の下面にはアルミニウム４が蒸着され、上面には防曇処理剤５が塗布されている。
【００１７】
図３は、本発明の凹面鏡１を歯科用小型鏡に応用した例である。本発明王面鏡１をプラスチックの１体成形品に固着したものである。この成形品は、柄６、皿部７及び連結部８から構成されている。この連結部８は塑性変形するようにしているため、角度が自由に変えられる。この例では、鞄に１つ入れておけば、食後洗面所等の鏡の前に行けば簡単に口の中をチェックできる。
【図面の簡単な説明】
【００１８】
【図１】本発明の１例を示す凹面鏡１の１例を示す断面図である。
【図２】図１の部分拡大図である。
【図３】本発明の凹面鏡１を歯科用小型鏡に応用した例を示す斜視図である。
【符号の説明】
【００１９】
１  凹面鏡
２  アルミニウム板
３  ＰＥＴフィルム
４  アルミニウム
５  防曇処理剤
６  柄
７  皿部
８  連結部
【図１】
2006243106.tif 000003
【図２】
2006243106.tif 000004
【図３】
2006243106.tif 000005
(57)【要約】【課題】各支柱の展開と収納状態への変更が容易な物干し具を提供する。【解決手段】複数の支柱が枢持盤により夫々異なる方向に開閉可能に連結された物干し具であって、この枢持盤が支持盤と連結板からなり、この支持盤と連結盤に支柱を抱持する透孔が設けられ、支持盤と連結盤は互いに回動自在に連結され、支持盤と連結盤の回動により支柱が開閉されるように為されたことを特徴とするものであり、支柱を展開した使用状態と支柱を畳んだ収納状態の変更が容易である。【選択図】        図６
2006192204.tif 000002
【特許請求の範囲】
【請求項１】
複数の支柱が枢持盤により夫々異なる方向に開閉可能に連結された物干し具であって、この枢持盤が支持盤と連結板からなり、この支持盤と連結盤に支柱を抱持する透孔が設けられ、支持盤と連結盤は互いに回動自在に連結され、支持盤と連結盤の回動により支柱が開閉されるように為されたことを特徴とする物干し具。
【発明の詳細な説明】
【技術分野】
【０００１】
本発明は、収納状態から使用状態への形態の変更が容易な収納性に優れる物干し具に関する。
【背景技術】
【０００２】
【特許文献１】実開昭５７−１２９５９６号  従来、実開昭５７−１２９５９６号に於いて、枢着盤をたとえば１２０°に分割し、これと直角を為す内心円半径の接戦に沿い、柱脚挿入孔および盤の上下両面に斜溝とを設け、該挿入孔に挿着した各柱脚の傾きを枢着盤と角度を為すように枢着し、又柱脚の上端には一端に吊鈎を形成したレバーの基端を旋廻および脱却自在に嵌着してなる物干器の三脚吊掛器が提案されている。
【発明の開示】
【発明が解決しようとする課題】
【０００３】
しかしながら上記の如き実開昭５７−１２９５９６号に提案されている物干し具に於いては、三脚の各柱脚を枢着盤の規制により適応の角度で開脚すると共に吊り鈎を形成したレバーを地表に平行に展開して、物干し器の吊り掛け及び物干し竿の渡架ができるものの、各柱脚の展開は柱脚を１本ずつ操作せねばならず、操作が煩瑣であるという問題があった。
【０００４】
そこで本発明者は従来の欠点に鑑み鋭意研究の結果、各支柱の展開と収納状態への変更が容易な物干し具を提供するものである。
【課題を解決するための手段】
【０００５】
本発明物干し具は、複数の支柱が枢持盤により夫々異なる方向に開閉可能に連結された物干し具であって、この枢持盤が支持盤と連結板からなり、この支持盤と連結盤に支柱を抱持する透孔が設けられ、支持盤と連結盤は互いに回動自在に連結され、支持盤と連結盤の回動により支柱が開閉されるように為されたことを特徴とするものである。
【発明の効果】
【０００６】
本発明物干し具は、複数の支柱が枢持盤により夫々異なる方向に開閉可能に連結された物干し具であって、この枢持盤が支持盤と連結板からなり、この支持盤と連結盤に支柱を抱持する透孔が設けられ、支持盤と連結盤は互いに回動自在に連結され、支持盤と連結盤の回動により支柱が開閉されるように為されたことを特徴とするものであり、支柱を展開した使用状態と支柱を畳んだ収納状態の変更が容易である。
【発明を実施するための最良の形態】
【０００７】
以下、図面を参照しながら本発明に付いて説明する。
図１は本発明物干し具の実施形態の一例を示す斜視図である。
図面において１は支柱であって、４本の支柱１がその中央より稍々上部で、枢持盤２により枢着されている。支柱１の上端には、掛け部３が設けられ、ハンガーなどが掛止できるように為されている。
【０００８】
枢持盤２は図４及び図５に示すように支持盤２１と連結盤２２からなり、支持盤２１と連結盤２２は互いに回動自在と為されている。支持盤２１と連結盤２２には支柱１が挿通される透孔２２１が設けられ、４本の支柱１が互いに異なる方向に傾動するように為されている。この支持盤２１と連結盤２２を図６に示すように回動することにより、４本の支柱１が傾けられて展開された状態と図３の如く４本の支柱１が束ねられた収納状態をとるように為されている。
【０００９】
連結盤２２に設けられた透孔２２１は、短径が支柱１外形と略同寸法の小判型の長孔で支柱１が直立状態と傾斜状態をとることができるように為されている。連結盤２２と支持盤２１はその中心で軸着されて回動自在と為されている。支柱１の傾斜方向は互いに９０°の角度となされ、支柱１が展開されると上端も開き夫々の支柱１の上端に設けられた掛け部３が適宜間隔と為される。
【００１０】
支柱１上端の掛け部３は支柱１に対して屈曲可能となされ、物干し具の収納においては図２に示すように支柱１と同方向に直立させ、支柱１を畳めば図３の如く棒状に束ねられ、コンパクトになる。収納状態から使用状態に支柱１を展開するには、図６に示すように連結盤２２と支持盤２１を回転させれば、４本の支柱１が同時に傾斜され容易に使用状態となる。又使用状態から収納状態にするには逆の方向に連結盤２２と支持盤２１を回転させればよい。
【００１１】
本発明における連結盤２２と支持盤２１は適宜材料から作製されればよいが、合成樹脂成型品が好適に用いられる。本発明における支柱１は、合成樹脂被覆鋼管や、アルミ合金管、ステンレス鋼管などが好適に用いられる。又図に於いては支柱１が断面円形の例を示したが、これに限るものではなく、断面矩形の管体でもよいし、適宜形状の型材が用いられてもよい。
【００１２】
この例では、支柱が４本の例を示して説明したが、支柱の数はこれに限るものではなく、３本あるいは５本でもよい。
【図面の簡単な説明】
【００１３】
【図１】本発明物干し具の実施形態の一例を示す斜視図である。
【図２】本発明物干し具の掛け部を直立させた状態を示す斜視図である。
【図３】本発明物干し具の収納状態を示す斜視図である。
【図４】本発明物干し具の収納状態における枢持盤部分の拡大斜視図である。
【図５】本発明物干し具の使用状態における枢持盤部分の拡大斜視図である。
【図６】本発明物干し具の支柱の展開動作を説明する斜視図である。
【符号の説明】
【００１４】
１    支柱
２    枢持盤
２１    支持盤
２２    連結盤
２２１    透孔
３    掛け部
【図１】
2006192204.tif 000003
【図２】
2006192204.tif 000004
【図３】
2006192204.tif 000005
【図４】
2006192204.tif 000006
【図５】
2006192204.tif 000007
【図６】
2006192204.tif 000008
(57)【要約】【課題】水筒を入れるケースを、飲料を飲んだ後に枕として使用したら、固くて不快であった。【解決手段】水筒の入る部分３の上部に、枕となる部分４を設ける。  枕となる部分４は、弾力性のあるクッッションを使用する。【選択図】図１
2006192242.tif 000002
【特許請求の範囲】
【請求項１】
枕として使用できることを特徴とする水筒のケース。
【請求項２】
枕として使用する際、水筒のケースの上部に位置する部分にクッションを設けることを特徴とする請求項１記載の水筒のケース。
【発明の詳細な説明】
【技術分野】
【０００１】  この発明は、水筒を入れるケースの形状に関する。
【背景技術】
【０００２】  従来の水筒を入れるケースの形状は、図５に示すように枕部分として使用できるものは無かった。
【発明の開示】
【発明が解決しようとする課題】
【０００３】  しかしながら、以上の従来技術によれば、枕として使用するにあたり、固くて不快であった。
そこで、この発明は、枕として使用できる水筒のケースを提供することを課題とする。
【課題を解決するための手段】
【０００４】  以上の課題を解決するために、第一発明は、枕として使用できることを特徴とする水筒のケースである。
また、第二発明は、枕として使用する際、水筒の上部に位置する部分にクッションを設けることを特徴とする水筒のケースである。
【発明の効果】
【０００５】  第一発明、または第二発明によれば、水筒のケースの上部に位置する部分にクッションを設けたので、枕として快適に使用できる。
また、水筒をつつむケースが厚くなるので、水筒の保温効果がある。
【発明を実施するための最良の形態】
【０００６】  この発明の一実施形態を、図１〜図４に示す。
水筒の入る部分３、及び枕となる部分４は布製であり、水筒の入る部分３と、枕となる部分４に、布製のとって１が一体的に一対設けられている。
金属製のファスナー２を開けることにより、水筒の入る部分３と、枕となる部分４は、図４に示すような３と４が開いた形状となり、水筒の入る部分３に、水筒を入れることができる。
金属製のファスナー２を閉じれば、図１の形状となりこの状態において、枕として使用可能となる。【０００７】「実施形態の効果」
この実施形態によれば、クッションを設けた枕部分４により、枕として使用するにあたり、固くて不快にはならない。したがって、快適に枕として使用できる。【０００８】「他の実施形態」
図１の実施形態では、枕となるクッション部分は水筒の入る部分と大きさ、形ともほぼ同じであるが、他の実施形態では、枕となるクッション部分はカマボコ形となったものでも良い。
また、とって、枕となる部分、水筒の入る部分を、革製及び、人工革製としたものでも良い。
【図面の簡単な説明】
【０００９】
【図１】  この発明の一実施形態を示す斜視図である。
【図２】  この発明の正面図である。
【図３】  この発明の右側面図である。
【図４】  この発明の一実施形態を示す斜視図である。ファスナー２により、水筒の入る部分３と、枕となる部分４が、開いた形状を示す図である。
【図５】  従来技術を示す斜視図である。
【符号の説明】
１  とって
２  ファスナー
３  水筒の入る部分
４  枕となる部分（クッション材入り）
【図１】
2006192242.tif 000003
【図２】
2006192242.tif 000004
【図３】
2006192242.tif 000005
【図４】
2006192242.tif 000006
【図５】
2006192242.tif 000007
(57)【要約】【課題】    スイングのヘッドスピードを変えずにクラブの重心の移動により飛距離をアップさせる。【解決手段】    クラブシャフト内にスプリングで吊るす状態でバラストを内蔵し、スイングの遠心力によりバラストをヘッド側に移動させることで重心を変える。【選択図】    図１
2006192243.tif 000002
【特許請求の範囲】
【請求項１】
クラブシャフト内にスプリングで吊るす状態でバラストを内蔵したゴルフクラブ。
【発明の詳細な説明】
【技術分野】
【０００１】  本発明は、ゴルフクラブに関することであり、クラブシャフト内にスプリングで吊るす状態でバラストを配置しスイングの遠心力を利用して重心を移動させることにより強い球が打てるようにしたものである。
【背景技術】
【０００２】  従来からクラブシャフト内は空洞であり重心を移動させることはできなかった。唯一クラブシャフト内にタイミングバー（無固定）を内蔵させ移動させている特許文献１がある。
【特許文献１】  特開２００３−０６２１４２
【発明の開示】
【発明が解決しようとする課題】
【０００３】  従来のクラブではスイング中に重心を変えることはできず、特許文献１でもスイング途中で重心がヘッド側に早く移りすぎてしまい遠心力と重心両方の力をヘッドスピードの最高点（インパクト）に最適に移動させることができなかった。本発明はヘッドスピードを変えずとも重心の移動により強い球が打てるようにした。
【課題を解決するための手段】
【０００４】  請求項１の発明はシャフト内にスプリングで吊るす状態でバラストを内蔵しスイングの遠心力によりヘッドスピード最高点・遠心力最高点（インパクト）にバラストを移動させることで重心がヘッド側に移動させることができる。
【発明の効果】
【０００５】  本発明によりスイングの遠心力によりバラストがヘッド側へ移動すると共にヘッドスピード最高点・遠心力最高点（インパクト）に重心が移動し強い球を打つことができる。
【発明を実施するための最良の形態】
【０００６】  図１はクラブシャフト内の図でグリップ部からスプリングを付け、そこからヘッド側へバラストを吊るすことによりスイングに応じてバラストが移動する。【０００７】  図２はスイング軌道でのスプリングとバラストの移動変化を示しており、（Ａ）のトップスイングではスプリングは収縮しており、（Ｂ）（Ｃ）（Ｄ）とダウンスローに移るにしたがいスプリングが伸縮し、（Ｅ）のインパクト時（遠心力最高点・ヘッドスピード最高点）にはスプリングが最大の伸縮をしバラストもヘッド先端まで移動しそれにより重心もヘッド側へ移る。
【産業上の利用可能性】
【０００８】  本発明は構造上難しくはないので工業的に量産することが可能であり、産業上の利用可能性を有する。
【図面の簡単な説明】
【０００９】
【図１】  クラブシャフト内の構造図である。
【図２】  スイング時のスプリングとバラストの変化を示した図である。
【符号の説明】
（Ａ）はトップスイングでのスプリングとバラストの位置。
（Ｂ）（Ｃ）（Ｄ）はダウンスローでのスプリングとバラストの変化状態。
（Ｅ）はインパクトでのスプリングとバラストの位置。
【図１】
2006192243.tif 000003
【図２】
2006192243.tif 000004
(57)【要約】      （修正有）【課題】肩凝り、腰痛、膝の痛みなどの血行不良が起こす体の障害を治療することを目的とする。【解決手段】日本中央競馬会の勝馬投票券のはずれ券を適当な大きさに切り粘着テープに付着させて、患部に密着するように張り付けて治療する。【選択図】なし【特許請求の範囲】
【請求項１】
日本中央競馬会の勝馬投票券のはずれ券を適当な大きさに切り粘着テープに付着させて、人体に密着するように張り付け治療することを特徴とする医療用具。
【発明の詳細な説明】
【技術分野】
【０００１】本発明は日本中央競馬会の勝馬投票券のはずれ券を適当な大きさに切り粘着テープに付着し、人体に張り付ける医療用具に関する。
［背景技術］【０００２】永久磁石を使った粘着テープの医療用具は公知である。
［発明の開示］
［発明が解決しようとする課題］【０００３】しかしながら本発明は人体から、すぐはがれ落ちるという問題があった。
［課題を解決するための手段］【０００４】日本中央競馬会の勝馬投票券のはずれ券を小さく切り、粘着テープの粘着部分がその券よりも全体的にはみ出るようにし中央に付着させて人体に張り付け、はがれ落ちにくくして課題を解決した。
［発明の効果］【０００５】本発明を使用すると血行が良くなり鬱血をとかす効能があり、肩凝り、背中の凝りの解消完治、腰痛の解消完治、膝の痛みの解消、四十肩、五十肩の解消完治、筋ちがえの解消完治、筋肉痛の解消完治、下痢の解消完治、便秘の解消、胃もたれの解消、目の疲れの解消、冷え症の解消、古傷の痛みの解消などの血行不良が起こす体の障害に効果がある。これらは発明者以外にも効果があり、他の医療品よりもすぐれている。
［発明を実施するための最良の形態］【０００６】人体の表面は平面ではないので、伸縮性のある粘着テープに日本中央競馬会の勝馬投票券のはずれ券を適当な大きさに切った物を付着させて使用すると、より人体に密着し効能が上がり、はがれ落ちにくく最良である。
［実施例］【０００７】肩凝り、腰痛、五十肩などの凝り、痛みのある患部に本発明を張り付けると個人差はあるが一時間ぐらいで利き始め、五日から七日間に一回、張り変えると解消完治につながる。【０００８】下痢、便秘、冷え症、目の疲れは各つぼに本発明を張り付けると個人差はあるが五時間ぐらいで解消する。
［産業上の利用可能性］【０００９】日本中央競馬会の勝馬投票券のはずれ券は油性マジックを塗って、三年前の物を使用して粘着テープに付着させ人体に張り付け、風呂に入っても効能は変わらず、子供から年配者まで医療用具として利用可能性がある。
【手続補正書】
【提出日】平成17年7月26日(2005.7.26)
【手続補正１】
【補正対象書類名】図面
【補正対象項目名】全図
【補正方法】変更
【補正の内容】
【図１】
2006192236.tif 000002
【図２】
2006192236.tif 000003
【手続補正書】
【提出日】平成17年7月26日(2005.7.26)
【手続補正１】
【補正対象書類名】特許請求の範囲
【補正対象項目名】請求項１
【補正方法】変更
【補正の内容】
［請求項１］
日本中央競馬会の勝馬投票券を適当な大きさに切り粘着テープに付着させて、人体に密着するように張り付け治療することを特徴とする医療用具。
【手続補正書】
【提出日】平成17年7月26日(2005.7.26)
【手続補正１】
【補正対象書類名】明細書
【補正対象項目名】全文
【補正方法】変更
【補正の内容】
［書類名］      明細書
［発明の名称］  医療用馬券付き粘着テープ
［技術分野］
［０００１］
本発明は馬券付き粘着テープを人体に張り付ける医療用具に関する。
［背景技術］
［０００２］
永久磁石を使った粘着テープの医療用具は公知である。
［発明の開示］
［発明が解決しようとする課題］
［０００３］
しかしながら従来の物は体に違和感があり、すぐはがれ落ちるという問題があった。
［課題を解決するための手段］
［０００４］
日本中央競馬会の勝馬投票券を小さく切り、粘着テープの粘着部分がその券よりも全体的にはみ出るようにして付着させて人体に張り付け、違和感も無くはがれ落ちにくくして課題を解決した。
［発明の効果］
［０００５］
本発明を使用すると日本中央競馬会の勝馬投票券が持っている磁気が働き、血行が良くなり鬱血をとかす効能があり、肩凝り、腰痛、膝の痛み、五十肩、筋ちがえ、筋肉痛の解消完治、下痢、便秘、胃もたれ、目の疲れ、冷え性、古傷の痛みの解消などの血行不良が起こす体の障害に効果がある。これらは発明者以外にも効果があり、他の医療品よりもすぐれていて、副作用もない。
［発明を実施するための最良の形態］
［０００６］
人体の表面は平面ではないので、伸縮性のある粘着テープを本発明に使用すると、より人体に密着し効能が上がり、はがれ落ちにくく最良である。
［実施例］
［０００７］
凝り、はり、もたれ、冷え、痛みのある患部に本発明を張り付ける。
［０００８］
下痢、便秘は下腹部の三箇所ぐらいに、目の疲れはこめかみに本発明を張り付ける。
［産業上の利用可能性］
［０００９］
日本中央競馬会の勝馬投票券は油性マジックを塗っても、三年前の物を本発明に使用して人体に張り付け、風呂に入っても効能は変わらず、子供から年配者まで医療用具として利用可能性がある。
［図面の簡単な説明］
［００１０］
［図１］「粘着テープに日本中央競馬会の勝馬投票券を適当な大きさに切った物を付着してあることを示した平面図である。」
［図２］「粘着テープに日本中央競馬会の勝馬投票券を適当な大きさに切った物を付着してあることを示した側面図である。」
［符号の説明］
［００１１］
１日本中央競馬会の勝馬投票券を適当な大きさに切った物
２粘着テープ
３粘着テープの粘着部分
(57)【要約】      （修正有）【課題】靴の踵後部が後ろ側に開くことにより、足を入れる靴開口部が大きく広がり、足腰の衰えた老人や障害を持つ人でも足腰を曲げたり、力を入れる必要が無く、履き脱ぎを容易にする、踵開閉式靴を提供する。【解決手段】踝から踵後下部に向かって傾斜した形状の踵部８を有する靴本体２と、靴本体２の踵後下部で接続部３を介して開閉可能に設けられた踵開閉部１と、踵開閉部１を閉じた状態で固定する固定具とより構成される、踵開閉式靴。【選択図】図１
2006192232.tif 000002
【特許請求の範囲】
【請求項１】
踝から踵後下部に向かって傾斜した形状の踵部を有する靴本体と、靴本体の踵後下部で接続部を介して開閉可能に設けられた踵開閉部と、踵開閉部を閉じた状態で固定する固定具とより構成される、かかと開閉式靴。
【発明の詳細な説明】
【技術分野】
【０００１】  本発明は、靴の履き、脱ぎを容易にする踵開閉式靴に関するものである。
【背景技術】
【０００２】  従来、靴は靴底と足を包み込む部分とで構成され、甲又は横に開閉できる部位が設けられ、これらの開閉によって履き脱ぎが行われていたが、靴の形状や開閉部の大、小によっては踵が入りにくい事も多く、踵の入りにくい時は靴ベラを使用して踵を押しこむように履いていた。
【発明の開示】
【発明が解決しようとする課題】
【０００３】  そのために、次のような問題点があった。
靴の履き脱ぎは、足腰の衰えが見られる老人や足腰に障害を持つ人には靴の開閉部をゆるめても足首の柔軟性も衰えているため、踵が引っ掛かりやすく大変履きにくかった、又開口部の広くなっている靴は履く時は楽だが、その為に足を覆う部分が少なくなり安定も悪く疲れやすい形の靴になってしまい、履き脱ぎしやすくデザイン的にも気に入った靴を選ぶ事が出来なかった。本発明はこれらの問題点を解決する為になされたものである。
【課題を解決するための手段】
【０００４】  踝から踵後下部に向かって傾斜した形状の踵部を有する靴本体と、靴本体の踵後下部で接続部を介して開閉可能に設けられた踵開閉部と、踵開閉部を閉じた状態で固定する固定具とより構成され、踵開閉部が接続部を軸として後ろに開いて靴開口部が大きく広がる。
以上を特徴とする、踵開閉式靴である。
【発明の効果】
【０００５】  本発明は、靴の踵後部が後ろ側に開く事により、足を入れる靴開口部が大きく広がり、足腰の衰えた老人や障害を持つ人でも足首を曲げたり力を入れる必要もなく、容易に靴の履き脱ぎができ、閉じて固定する事で踵を安定させる、又、靴の甲から横の部分に開閉部が必要なくなり、デザインも制約の少ない多様な靴になる。
【発明を実施するための最良の形態】
【０００６】以下、本発明の実施の形態を説明する。
（イ）踝位置（５）から接続部（３）に向けて傾斜した形状の踵部（８）とした靴本体表皮（１５）に、踵部（８）と同形状の靴本体踵芯（１２）接続部（３）に蝶番差込み穴（６）と、内張り（１３）を施して、靴底１４）上に設けて靴本体（２）とする。
（ロ）靴本体（２）と踵開閉部（１）との合わせ目（９）となる部分を覆い、固定具（７）の取り付け分だけ前方に伸ばした形状の、開閉部表皮（４）を施した開閉部踵芯（１０）の接続部（３）に蝶番差込み穴（６）と、内張り（１３）を施して踵開閉部（１）とする。
（ハ）靴本体（２）と踵開閉部（１）に施したそれぞれの蝶番差込み穴（６）に接続蝶番（１１）を差込み接続する。
（ニ）上記（ハ）により開閉可能に接続された踵開閉部（１）を閉じた状態で、踵開閉部（１）と靴本体（２）を合わせた位置に固定具（７）を取り付ける。
本発明は、以上の構成によりなっている。
本発明を使用する時は、固定具（７）を外し踵開閉部（１）を後ろ側に倒すと靴開口部（１６）が大きく広がり、靴の中に足を入れる事が容易に行える、踵開閉部（１）を閉じて固定具（７）で固定すると、踵開閉部（１）を左右の固定具（７）と接続蝶番（１１）の３点で支えて安定も良く、脱ぐ時も固定具（７）を外すだけで簡単に脱げる、又、靴本体（２）甲の部分に開閉部が必要なくなり、今までに無かった多種多様なデザインが可能となる。
【図面の簡単な説明】
【０００７】
【図１】  本発明の踵開口時斜視図
【図２】  本発明の使用状態側面図
【図３】  本発明の踵閉口時斜視図
【図４】  本発明の分解斜視図
【図５】  本発明のＡ−Ａ断面靴後部拡大図
【符号の説明】
【０００８】  １  踵開閉部
２  靴本体
３  接続部
４  開閉部表皮
５  踝位置
６  蝶番差込み穴
７  固定具
８  踵部
９  合わせ目
１０  開閉部踵芯
１１  接続蝶番
１２  靴本体踵芯
１３  内張り
１４  靴底
１５  靴本体表皮
１６  靴開口部
【図１】
2006192232.tif 000003
【図２】
2006192232.tif 000004
【図３】
2006192232.tif 000005
【図４】
2006192232.tif 000006
【図５】
2006192232.tif 000007
(57)【要約】【課題】スプーンを置いたまま、飲食物をのせたり保持する機能を持たせる。【解決手段】スプーンの柄の一端に台（１）を設け、反対端のカップに近い柄に、カップが水平に保てるよう曲がった部分（２）を設けたことを特徴とする。【選択図】図１
2006192237.tif 000002
【特許請求の範囲】
【請求項１】
柄の一端に台（１）を設け、反対端のカップの近くをカップが上向きで水平になるように、曲がり部分（２）を設けたことを特徴とするスプーン。
【発明の詳細な説明】
【技術分野】
【０００１】本発明は、飲み物や食べ物を、口に運ぶ時に使うスプーンに関するものである。
【背景技術】
【０００２】従来、スプーンは、柄を手で持って飲み物や食べ物をすくい、口元へ運ぶ器具であり、置いた状態ではこぼれるために飲食物をのせることはできなかった。
【発明の開示】
【発明が解決しようとする課題】
【０００３】置いた状態のスプーンは、通常はカップが水平ではないため、飲食物をのせたり、入れたまま保持することは難しい。本発明は、置いた状態でスプーンのカップを水平に保つことにより、カップにのせることや、入れたまま保持できるようにすることである。
【課題を解決するための手段】
【０００４】上述の目的を達成する本発明のスプーンは、柄の一端に台（１）を設け、反対端のカップに近い柄に、カップを水平に保つための曲がり部分（２）を設けたことを特徴とする。
【発明の効果】
【０００５】以上説明したように本発明によれば、スプーンの一端に台（１）を設け、反対端のカップ近くの柄に曲がり部分（２）を設けることで、カップを水平に保てるようにしたことにより、スプーンを置いたまま飲食物をのせたり保持する事が可能となる。その結果として高齢者や障害者等の食事介護の時の、飲食物の保持労力の軽減に有効である。このスプーンで、例えば、卓上でスプーンを置いたまま粉薬や液薬をのせることができ、上を向いて口を開く姿勢をとることなく、スプーンをわずかに傾けるだけで飲むことが可能となり、上を向く時の首の負担や、手腕の不自由な人が手腕を高く上げる負担をなくすことに有効である。又乳幼児の食事の際にも有効である。
【図面の簡単な説明】
【０００６】
【図１】本発明の斜視図である。
【符号の説明】
【０００７】１  台２  曲がり部分
【図１】
2006192237.tif 000003
(57)【要約】【目的】電器炊飯器のご飯の保温時の黄変や乾燥を防ぎ、保温のご飯でも美味しく食べる事が出来る【構成】電器炊飯器等の内釜の中に使う、内釜内寸の耐熱性の落し蓋状の内蓋の提供【特許請求の範囲】
【請求項１】
保温時の電器炊飯器の内釜内にセットするご飯の乾燥黄変防止用の落し内蓋。
【発明の詳細な説明】
【発明の詳細な説明】
【技術分野】
【０００１】この発明はご飯の保温時、電器炊飯器の中の炊き上がったご飯の上に被せる炊飯器の中に使う保湿用の蓋に関するものである。
【発明の詳細な説明】
【０００２】電器炊飯器の中のご飯は保温中、時間がたつにつれ必ず乾燥、黄変し、美味しくなくなるが、本発明はこれを防止する内蓋を提供する。
【背景技術】
【０００３】今までの炊飯器はご飯の量にかかわらず、炊飯器の外側の蓋しかなかった為、保温時、釜の中での隙間が多く、ご飯の乾燥、黄変が早く、保温ご飯は不評である
【課題を解決するための手段】
【０００４】この考案は、電気炊飯器等の内釜に健康に影響の無いしかも耐熱性の物、例えば耐熱ガラスやセラミック等で、内釜の内寸で窯の中にすっぽりと納まる落し蓋のような蓋を製作する
【作用】
【０００５】そうする事により、ご飯の上に外の蓋とは別の蓋が置かれ、乾燥やそれに伴う黄変を非常に少なくする事が出来る
【実施例】
【０００６】その中の蓋の上にご飯のしゃもじ受けをつければ、しゃもじを炊飯器の中にしまうことも出来、普通炊飯器についている外にセットして置くよりも衛生的である。又、蓋は平面状より丸みを帯びさせると被せやすくなる。内釜にぴっちり付けたい場合はバネ等で伸縮性を持たせればよいが、衛生面、洗い易さも考慮しなくてはならない。
【発明の効果】
【０００７】保温中のご飯の変化が少なく、保温のご飯でも美味しく食べることが出来る。
(57)【要約】      （修正有）【課題】詰め将棋の「設問譜図」の繰り返しを正確、迅速に為すべくしたものである。【解決手段】将棋板に「詰め将棋の設問譜図」を記入することにより、繰り返し、正確、迅速に設問譜図を作ることが出来る。【選択図】図１
2006192233.tif 000002
【特許請求の範囲】
【請求項１】
将棋板に、詰め将棋の設問を記入することを特徴とする方法
【発明の詳細な説明】
【技術分野】
【０００１】本発明は将棋に関するものである
【背景技術】
【０００２】日本で古来より受け継がれてきた将棋に詰め将棋がある、然し、この世界で最も奥の深い文化遺産である詰め将棋ではあるが近年の将棋人口はお世辞にも多いとは言えぬ現状である、これは個々の駒の働きや、配列などの、規則が少々多様なこと、これらに拠ることなどが原因でもある【０００３】亦、詰め将棋の場合、設問の駒の配列譜図の攻防の行き詰まりから、詰めあがるまでに何回も最初の設問の配列譜図にまでもどり、駒の配列を作り直さねばならない欠点がある【０００４】この駒の配列譜面を正確に転写し作り直さねばならぬ行為は初心者などに於いては誠に煩わしく大いなる短所でもある
【発明の開示】
【発明が解決しようとする課題】
【０００５】この詰め将棋の、設問の譜図設定の為の、駒の配列の繰り返しの煩わしさを解決しようとするものである
【課題を解決するための課題】
【０００６】本発明の方法は将棋板に詰め将棋の「設問の駒の配列譜図」が記入れていることを最大の特徴とする
【発明の効果】
【０００７】本発明の将棋板を使用すれば、将棋板に記入された駒の配列譜図に従って繰り返し正確、迅速に駒を並べることが出来、特に初心者などには煩わしさが軽減されるものである、
【発明を実施するための最良の形態】
【０００８】将棋板を、薄い板、皮革、布、紙、合成樹脂布、など任意の素材で将棋板を形成し、詰め将棋の「設問の駒の配列譜図」を記入、設定すれば、持ち運びにも便利を得るもので、如何なる場所、場面においても、種々な詰め将棋を簡単に繰り返し愉しめるものである、
【実施例１】
【０００９】
【図１】
は、本発明の実施例である
【産業上の利用可能性】将棋板に詰め将棋の設問が記入されているため、初心者から熟達者まで、いずれも、正確、迅速に設問の駒の配列譜図を繰り返し作成することができる
【図面の簡単な説明】
【００１０】
【図１】設問配列図を記入した将棋板
【符号の説明】
【００１１】１・・・将棋板
２・・・将棋駒
【図１】
2006192233.tif 000003
(57)【要約】      （修正有）【課題】足の爪の巻き爪と靴の中の臭いを防止する。【解決手段】クッション１は、ハート型の布製袋２に、そば殻等の充填材３と消臭効果のある重曹・ポプリ・製油・乾燥ハーブ等４を入れたもので、先の尖った靴の先端内部に入れることにより、足が細い先端にくいこんで巻き爪になるのを防止、又、密閉による靴内部の悪臭を防止するのに役立つ。【選択図】図１
2006192238.tif 000002
【特許請求の範囲】
【請求項１】
ハート型をした布製の袋の中に、そば殻等の充填材と消臭剤を詰めた事を特徴とする巻き爪防止消臭つま先用クッション。
【発明の詳細な説明】
【技術分野】
【０００１】本発明は、先の尖った靴を履く事により生じる巻き爪を防止し、密閉による靴の中の臭いを消すクッションに関する。
〔背景技術〕【０００２】先の尖った靴が好まれて多数使われているが、こうした靴を用いる時、巻き爪を生じやすい。これらの対策としては、すでに、巻き爪になったものを矯正する提案が多くなされていたが、巻き爪を防止する提案は殆どなされていない。
〔発明の開示〕
〔発明が解決しようとする課題〕【０００３】本発明は、上記の課題を解決しようとするものである。
〔課題を解決するための手段」【０００４】本発明の巻き爪防止消臭つま先用クッションは、ハート型をした布製の袋の中に、そば殻等の充填材と消臭剤を詰めた事をと特徴としている。【０００５】本発明の形状は、ハート型である事が、靴のつま先に入れるため、及び、つま先の保護のために必要である。ハート型の上部の二つの丸みは、同一形状でも良いし、大小があっても良い。
本発明のクッションとしては、布製の袋に充填材及び消臭剤が詰められている。
本発明が用いる充填材としては、例えば、そば殻・もみ殻・おがくず・綿等でクッション性を与え、且つ、吸湿性のある材料が好ましい。
また、消臭剤としては、重曹・ポプリ・精油・活性炭・乾燥ハーブ等があげられる。
〔発明の効果〕【０００６】本発明のクッションは、上述したような構成になっているので、靴の先に入れる事によって、つま先の保護出来るし、消臭効果も得られる。
〔発明を実施するための最良の形態〕
［実施例］【０００７】以下、本発明の実施例については、図面を用いて説明する。
図１は、本発明の説明図である。２は、ハート型布製の袋であり、幅４ｃｍ・長さ５ｃｍで一方にへこみがあり、他方には尖りのあるものとし、この袋に、そば殻３と小さな布製の袋に重曹とハーブテイーを入れたもの４を充填し、厚み２ｃｍとしてクッション１とした。
図２は、クッション１を、先の尖った靴５に詰め込んだ状況を示す図である。
図３は、靴の中でつま先が、クッションに当接している状況を示す図である。
このようにして、本発明のクッションを用いた結果、巻き爪を生じる事がなく、また、吸湿脱臭効果によって快適であった。
［産業上の利用の可能性］【０００８】本発明のクッションは、靴の先端内部に入れるだけなので、すでに手持ちの靴に使える。
【図面の簡単な説明】
【０００９】［図１］  本発明の巻き爪防止消臭つま先用クッションの説明図である。
［図２］  本発明のクッションを靴に用いている状況を示す図である。
［図３］  本発明のクッションが、足と当接している状況を示す図である。
【符号の説明】
【００１０】１．  クッション
２．  布製袋
３．  充填材
４．  消臭剤
５．  靴
【図１】
2006192238.tif 000003
【図２】
2006192238.tif 000004
【図３】
2006192238.tif 000005